(57)【要約】【課題】圧縮機の回転数が可変であるか否かに関わらず省電力状態であることを報知すること。【解決手段】冷蔵庫１であって、断熱扉１２及び蒸発器２５を有する貯蔵庫本体１１と、圧縮機２２を有する冷凍回路２１と、庫内温度を検出する庫内サーミスタ３０と、制御部１８と、エコ表示部４５と、を備え、制御部１８は、圧縮機２２を運転して庫内を冷却する冷却運転であって、庫内サーミスタ３０によって検出された庫内温度が所定の下限温度まで低下すると圧縮機２２を停止させ、その後に庫内温度が所定の上限温度まで上昇すると圧縮機２２の運転を再開する冷却運転と、庫内温度が上限温度と下限温度との間の設定温度まで低下するとエコ表示部４５を点灯させる報知処理と、を実行する、冷蔵庫１。【選択図】図６
2019203634.tif 000002
【特許請求の範囲】
【請求項１】
冷却貯蔵庫であって、
開閉扉を有する貯蔵庫本体と、
圧縮機及び蒸発器を有する冷凍回路と、
庫内温度を検出する温度センサと、
制御部と、
報知部と、
を備え、
前記制御部は、
前記圧縮機を運転して庫内を冷却する冷却運転であって、前記温度センサによって検出された庫内温度が所定の下限温度まで低下すると前記圧縮機を停止させ、その後に庫内温度が所定の上限温度まで上昇すると前記圧縮機の運転を再開する冷却運転と、
庫内温度が前記上限温度と前記下限温度との間の所定の温度まで低下すると前記報知部に省電力状態であることを報知させる報知処理と、
を実行する、冷却貯蔵庫。
【請求項２】
請求項１に記載の冷却貯蔵庫であって、
目標温度の設定を受け付ける受付部を備え、
前記上限温度は前記目標温度に第１の所定温度を加算した温度であり、前記下限温度は前記目標温度から第２の所定温度を減算した温度であり、前記所定の温度は前記目標温度である、冷却貯蔵庫。
【請求項３】
請求項１又は請求項２に記載の冷却貯蔵庫であって、
前記制御部は、庫内温度が前記上限温度より第３の所定温度以上高い状態が所定時間継続すると、前記報知部に省電力状態であることの報知を終了させる、冷却貯蔵庫。
【請求項４】
請求項１乃至請求項３のいずれか一項に記載の冷却貯蔵庫であって、
前記制御部は、当該冷却貯蔵庫の異常を検出する異常検出処理を実行し、前記報知部に省電力状態であることを報知させているときに前記異常検出処理によって異常が検出された場合は、前記報知部に省電力状態であることの報知を終了させ、異常が検出されたことを報知させる、冷却貯蔵庫。
【請求項５】
請求項１乃至請求項４のいずれか一項に記載の冷却貯蔵庫であって、
前記冷凍回路は凝縮器、凝縮器ファン、及び、前記凝縮器の前側に配されているフィルターを有し、
当該冷却貯蔵庫は前記フィルターの目詰まりを検出する検出部を備え、
前記制御部は、前記検出部によって前記フィルターの目詰まりを検出する目詰まり検出処理を実行し、前記報知部に省電力状態であることを報知させているときに前記目詰まり検出処理によって目詰まりが検出された場合は、前記報知部に省電力状態であることの報知を終了させ、前記フィルターが目詰まりしていることを報知させる、冷却貯蔵庫。
【請求項６】
請求項１乃至請求項５のいずれか一項に記載の冷却貯蔵庫であって、
前記制御部は、所定の除霜開始条件が成立すると前記報知部に省電力状態であることの報知を終了させ、前記蒸発器を除霜する除霜運転を実行する、冷却貯蔵庫。
【発明の詳細な説明】
【技術分野】
【０００１】
本明細書で開示する技術は冷却貯蔵庫に関する。
【背景技術】
【０００２】
従来、冷却貯蔵庫において、省電力状態になるとその旨を報知するものが知られている（例えば、特許文献１参照）。具体的には、特許文献１に記載の冷蔵庫（冷却貯蔵庫に相当）は単位時間当たりの回転数（以下、単に回転数という）が可変の圧縮機を備えており、庫内温度に基づいて圧縮機の回転数を可変する。当該冷蔵庫は貯蔵室外の温度に応じて基準回転数が設定されており、圧縮機の回転数が基準回転数より低い場合にエコマークを点灯させる。
【先行技術文献】
【特許文献】
【０００３】
【特許文献１】特開２０１２−４２１３４号公報
【発明の概要】
【発明が解決しようとする課題】
【０００４】
しかしながら、特許文献１に記載の技術は圧縮機の回転数が可変であることが前提であり、回転数が一定の一定速圧縮機の場合には適用できない。このため、一定速圧縮機の場合にエコマークを点灯させることができず、使用者に省電力を意識付けることができない。
【０００５】
本明細書では、圧縮機の回転数が可変であるか否かに関わらず省電力状態であることを報知できる技術を開示する。
【課題を解決するための手段】
【０００６】
本明細書で開示する冷却貯蔵庫は、開閉扉を有する貯蔵庫本体と、圧縮機及び蒸発器を有する冷凍回路と、庫内温度を検出する温度センサと、制御部と、報知部と、を備え、前記制御部は、前記圧縮機を運転して庫内を冷却する冷却運転であって、前記温度センサによって検出された庫内温度が所定の下限温度まで低下すると前記圧縮機を停止させ、その後に庫内温度が所定の上限温度まで上昇すると前記圧縮機の運転を再開する冷却運転と、庫内温度が前記上限温度と前記下限温度との間の所定の温度まで低下すると前記報知部に省電力状態であることを報知させる報知処理と、を実行する。
【０００７】
庫内温度が低下すると蒸発器内の冷媒の蒸発量が減少するため冷凍回路内の圧力が低下し、冷媒を圧縮する圧縮機にかかる負荷が小さくなる。圧縮機にかかる負荷が小さくなると、単位時間当たりの回転数（以下、単に回転数という）が一定の一定速圧縮機であるか回転数が可変の圧縮機（例えばインバータ圧縮機）であるかに関わらず、圧縮機に流れる電流値が小さくなる。このため庫内温度が低下すると省電力となる。また、一般に回転数が可変の圧縮機は庫内温度の低下に従って回転数を下げる制御が行われるので、一定速圧縮機よりも更に省電力となる。
上記の冷却貯蔵庫によると、庫内温度が上限温度と下限温度との間の所定の温度まで低下すると省電力状態であることを報知するので、圧縮機の回転数が可変であるか否かに関わらず省電力状態であることを報知できる。このため、圧縮機の回転数が可変であるか否かに関わらず、使用者に省電力を意識付けることができる。
なお、上記の冷却貯蔵庫において省電力状態とは、何らかの基準と比較して省電力状態であることを意味するものではない。使用者に省電力を意識付ける上では、冷却貯蔵庫が何らかの基準と比較して実際に省電力状態であるかどうかは必ずしも必須ではないからである。
【０００８】
上記の冷却貯蔵庫は、目標温度の設定を受け付ける受付部を備え、前記上限温度は前記目標温度に第１の所定温度を加算した温度であり、前記下限温度は前記目標温度から第２の所定温度を減算した温度であり、前記所定の温度は前記目標温度であってもよい。
【０００９】
一般に一定速圧縮機や回転数が可変の圧縮機に供給される電流の電流値は庫内温度が目標温度まで低下すると省電力状態といえる程度まで小さくなる。上記の冷却貯蔵庫によると、庫内温度が目標温度以下になったときに省電力状態であることを報知させるので、省電力状態になったことを報知するタイミングを、冷却貯蔵庫が省電力状態になったタイミングとより精度良く一致させることができる。
【００１０】
前記制御部は、庫内温度が前記上限温度より第３の所定温度以上高い状態が所定時間継続すると、前記報知部に省電力状態であることの報知を終了させてもよい。
【００１１】
前述したように制御部は庫内温度が所定の温度まで低下すると省電力状態であることを報知させる。その場合、省電力状態であることの報知を終了させるタイミングとしては、庫内温度が所定の温度より高くなったタイミングが考えられる。しかしながら、冷却運転では庫内温度が頻繁に上下するので、所定の温度より高くなったタイミングで報知を終了させると省電力状態であることの報知と報知の終了とが頻繁に繰り返されてしまい、使用者が冷却貯蔵庫の故障と誤解する虞がある。
また、開閉扉が開閉されることによって庫内温度が所定の温度より高くなる場合もある。その場合、庫内温度が所定の温度より高くなったときに報知を終了させると、開閉扉が開かれていた時間が短いことによって庫内温度が所定の温度より少し高くなった程度であっても報知が終了するので、報知と報知の終了とが頻繁に繰り返されてしまう。
上記の冷却貯蔵庫によると、庫内温度が上限温度より第３の所定温度以上高い状態が所定時間継続した場合（言い換えると、開閉扉が長い時間開いたままにされたことによって庫内温度が大きく上昇した場合）に省電力状態であることの報知を終了させるので、省電力状態であることの報知と報知の終了とが頻繁に繰り返されてしまうことを抑制できる。これにより、使用者に冷却貯蔵庫の故障と誤解させないようにできる。
【００１２】
前記制御部は、当該冷却貯蔵庫の異常を検出する異常検出処理を実行し、前記報知部に省電力状態であることを報知させているときに前記異常検出処理によって異常が検出された場合は、前記報知部に省電力状態であることの報知を終了させ、異常が検出されたことを報知させてもよい。
【００１３】
省電力状態であることと異常が検出されたこととを報知部によって報知する場合、省電力状態であることと異常が検出されたこととを両方同時に報知すると、異常が検出されたことに使用者が気付き難くなる虞がある。
上記の冷却貯蔵庫によると、異常が検出されたことを報知するときは省電力状態であることの報知を終了させるので、異常が検出されたことが強調される。このため冷却貯蔵庫の使用者は異常が検出されたことに気付き易くなる。これにより、異常を解消するよう使用者により確実に促すことができる。
【００１４】
前記冷凍回路は凝縮器、凝縮器ファン、及び、前記凝縮器の前側に配されているフィルターを有し、当該冷却貯蔵庫は前記フィルターの目詰まりを検出する検出部を備え、前記制御部は、前記検出部によって前記フィルターの目詰まりを検出する目詰まり検出処理を実行し、前記報知部に省電力状態であることを報知させているときに前記目詰まり検出処理によって目詰まりが検出された場合は、前記報知部に省電力状態であることの報知を終了させ、前記フィルターが目詰まりしていることを報知させてもよい。
【００１５】
省電力状態であることとフィルターが目詰まりしていることとを報知部によって報知する場合、省電力状態であることとフィルターが目詰まりしていることとを両方同時に報知すると、フィルターが目詰まりしていることに使用者が気付き難くなる虞がある。
上記の冷却貯蔵庫によると、フィルターが目詰まりしていることを報知するときは省電力状態であることの報知を終了させるので、フィルターが目詰まりしていることが強調される。このため冷却貯蔵庫の使用者はフィルターが目詰まりしていることに気付き易くなる。これにより、目詰まりを解消するよう使用者により確実に促すことができる。
【００１６】
前記制御部は、所定の除霜開始条件が成立すると前記報知部に省電力状態であることの報知を終了させ、前記蒸発器を除霜する除霜運転を実行してもよい。
【００１７】
除霜運転を行うと庫内温度が上昇するので、その後に冷却運転を再開したとき、庫内温度が低下するのに時間を要する。このため、除霜運転が行われると省電力状態ではなくなる。上記の冷却貯蔵庫によると、除霜開始条件が成立すると省電力状態であることの報知を終了させるので、省電力状態であることの報知を、省電力状態ではなくなるタイミングで終了させることができる。
【図面の簡単な説明】
【００１８】
【図１】実施形態１に係る冷蔵庫の正面図
【図２】図１に示すＡ−Ａ線の断面図
【図３】冷却ユニット及びその周辺の断面図
【図４】冷蔵庫の電気的構成を示すブロック図
【図５】操作部の拡大図
【図６】エコ表示部の点灯／消灯を説明するためのタイミングチャート
【発明を実施するための形態】
【００１９】
＜実施形態１＞
実施形態１を図１ないし図６に基づいて説明する。以降の説明において上下方向及び左右方向とは図１に示す上下方向及び左右方向を基準とし、前後方向とは図２に示す前後方向を基準とする。
【００２０】
図１及び図２を参照して、本実施形態に係る冷蔵庫１（冷却貯蔵庫の一例）の全体構成について説明する。冷蔵庫１は主に業務に用いられる２ドア式の冷蔵庫である。
図２に示すように、冷蔵庫１は前側に開口１１Ａ及び１１Ｂを有する断熱箱体からなる貯蔵庫本体１１を備えている。開口１１Ａ及び１１Ｂは上下方向の概ね中央において左右方向に延びる角柱状の前面枠１１Ｃによって上下に仕切られている。図１及び図２に示すように、貯蔵庫本体１１には開口１１Ａ及び１１Ｂを開閉する２つの断熱扉１２（１２Ａ、１２Ｂ）が取り付けられている。断熱扉１２は開閉扉の一例である。貯蔵庫本体１１の下面には貯蔵庫本体１１を支持する４つの脚部１３が取り付けられている。
【００２１】
図２に示すように、貯蔵庫本体１１の上には上側が開放された機械室１６が設けられている。機械室１６には冷却ユニット１７、制御部１８（図４参照）、電源部（図示せず）などが収容されている。図１及び図２に示すように、機械室１６の前面には操作部１９（報知部、受付部の一例）が設けられている。冷蔵庫１の使用者は操作部１９を操作して庫内の目標温度の設定などの各種の操作を行うことができる。目標温度は所定の温度の一例である。以降の説明では設定された目標温度のことを設定温度という。
【００２２】
（２）冷却ユニット及びその周辺の構成
図３を参照して、冷却ユニット１７及びその周辺の構成について説明する。冷却ユニット１７は断熱性のユニット台２０に冷凍回路２１を取り付けたものである。ユニット台２０は貯蔵庫本体１１の天井壁１１Ｄに形成されている開口１１Ｅより一回り大きい形に形成されており、開口１１Ｅを塞ぐように天井壁１１Ｄの上に配置されている。
【００２３】
冷凍回路２１は圧縮機２２、凝縮器２３、凝縮器ファン２４、蒸発器２５、図示しない膨張弁などを備えている。圧縮機２２は回転数が可変なインバータ圧縮機であってもよいし、回転数が一定の一定速圧縮機であってもよい。
凝縮器２３の前側には空気中の塵埃が凝縮器２３に付着して凝縮能力が低下することを防止するための図示しないフィルターが設けられている。なお、凝縮器２３に対するフィルターの位置は前側に限定されるものではない。フィルターの位置は凝縮器２３に塵埃が付着することを抑制可能な位置であれば適宜に決定できる。
【００２４】
凝縮器２３の冷媒管にはフィルターの目詰まりを検出するための目詰まりサーミスタ３１（図４参照）が配置されている。目詰まりサーミスタ３１は検出部の一例である。
蒸発器２５はユニット台２０の下側に取り付けられており、天井（天井壁１１Ｄ及びユニット台２０）と次に説明するダクト部２７とによって構成される空気循環路２８に収容されている。
【００２５】
ダクト部２７は天井との間に空気循環路２８を形成するものであるとともに、蒸発器２５に付着した霜が溶けた水である除霜水を受けるドレンパンとしても機能する。ダクト部２７は後側に向かって下に傾斜する略平板状の底壁２７Ａ、底壁２７Ａの左右の縁部から上側に立ち上がっている側壁２７Ｂ、及び、底壁２７Ａの後側の縁部から上側に僅かに立ち上がっている後壁２７Ｃを有している。
【００２６】
底壁２７Ａの前側部分には空気循環路２８内に空気を吸い込むための円形の吸込口２７Ｄが形成されている。後壁２７Ｃは貯蔵庫本体１１の後側の壁１１Ｆから前側に離間しており、後壁２７Ｃと貯蔵庫本体１１の後側の壁１１Ｆとの間に吹出口２７Ｅが形成されている。また、後壁２７Ｃには左右方向の概ね中央から後側に向かって延びる断面Ｕ字状の排水溝２７Ｆが一体に形成されている。貯蔵庫本体１１の後側の壁１１Ｆの内部には排水通路１１Ｇが形成されており、排水溝２７Ｆは後側の端部が排水通路１１Ｇに挿入されている。ダクト部２７によって受けられた除霜水は排水溝２７Ｆから排水通路１１Ｇを介して庫外に排出される。
【００２７】
庫内ファン２９はダクト部２７の吸込口２７Ｄに上側から装着されている。庫内ファン２９が回転すると庫内の空気が吸込口２７Ｄから空気循環路２８に吸い込まれ、蒸発器２５によって冷却されて吹出口２７Ｅから庫内に吹き出される。
庫内サーミスタ３０（温度センサの一例）は空気循環路２８内において庫内ファン２９と蒸発器２５との間に配されている。庫内サーミスタ３０は庫内温度を検出して制御部１８に出力する。
【００２８】
（３）冷蔵庫の電気的構成
図４を参照して、冷蔵庫１の電気的構成について説明する。冷蔵庫１は制御部１８を備えている。制御部１８には操作部１９、圧縮機２２、庫内ファン２９、凝縮器ファン２４、庫内サーミスタ３０、目詰まりサーミスタ３１などが接続されている。
【００２９】
制御部１８はＣＰＵ１８Ａ、ＲＯＭ１８Ｂ、ＲＡＭ１８Ｃなどを備えている。制御部１８はＲＯＭ１８Ｂに記憶されている制御プログラムを実行することによって冷蔵庫１の各部を制御する。制御部１８はＣＰＵ１８Ａに替えて、あるいはＣＰＵ１８Ａに加えてＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などを備えていてもよい。
【００３０】
図５を参照して、操作部１９について説明する。操作部１９には表示装置４０、複数の操作ボタン４１（受付部の一例）、点検表示部４２（報知部の一例）、フィルター表示部４３（報知部の一例）、霜取中表示部４４（報知部の一例）、エコ表示部４５（報知部の一例）などが設けられている。
表示装置４０には現在の庫内温度や目標温度（以下、「設定温度」という）などが表示される。操作ボタン４１は使用者が設定温度などの各種の設定を行うためのボタンである。点検表示部４２、フィルター表示部４３、霜取中表示部４４及びエコ表示部４５についての説明は後述する。
【００３１】
（４）冷却運転
図６を参照して、制御部１８によって実行される冷却運転について説明する。冷却運転は圧縮機２２及び凝縮器ファン２４の運転／停止を切り替えることによって庫内温度を所定の冷却温度範囲内に維持するものである。冷却温度範囲の上限温度は例えば設定温度＋１．７Ｋ［ケルビン］であり、下限温度は設定温度−２．７Ｋである。１．７Ｋは第１の所定温度の一例であり、２．７Ｋは第２の所定温度の一例である。
【００３２】
冷却運転では、制御部１８は圧縮機２２、凝縮器ファン２４及び庫内ファン２９を運転し、庫内温度が下限温度まで低下すると圧縮機２２及び凝縮器ファン２４を停止させる。これらを停止させると庫内温度が徐々に上昇する。制御部１８は庫内温度が冷却温度範囲の上限温度まで上昇すると圧縮機２２及び凝縮器ファン２４の運転を再開する。これを繰り返すことによって庫内温度が概ね冷却温度範囲内に維持される。
【００３３】
（５）除霜運転
図６を参照して、制御部１８によって実行される除霜運転について説明する。前述した冷却運転を行うと蒸発器２５に霜が付着する。このため制御部１８は所定の除霜開始条件が成立すると除霜運転を行う。除霜開始条件は「前回の除霜運転が終了してから一定時間が経過した」、「予め設定されている時刻に達した」などである。除霜開始条件は適宜に決定できる。
【００３４】
蒸発器２５の除霜方式としては、圧縮機２２を停止させるとともにヒータによって蒸発器２５を加熱するヒータデフロスト方式や、圧縮機２２を停止させる一方、ヒータによる加熱は行わず、庫内温度の上昇によって除霜するオフサイクルデフロスト方式などが知られている。除霜運転は任意の方式によって行うことができるが、ここではオフサイクルデフロスト方式を例に説明する。
【００３５】
オフサイクルデフロスト方式では、制御部１８は圧縮機２２及び凝縮器ファン２４を停止させ、庫内ファン２９のみを運転させる。冷蔵庫１の外部からの熱侵入や庫内ファン２９の発熱で庫内温度が徐々に上昇し、庫内ファン２９の風との熱交換で蒸発器２５に付着した霜が解ける。そして、制御部１８は予め設定されている除霜終了温度まで庫内温度が上昇すると除霜を終了する。なお、除霜運転を終了する条件は適宜に決定できる。
【００３６】
（６）点検表示部、フィルター表示部、霜取中表示部及びエコ表示部
図５を参照して、点検表示部４２、フィルター表示部４３、霜取中表示部４４及びエコ表示部４５について説明する。
点検表示部４２は冷蔵庫１の異常が検出されたことを示す透明あるいは半透明の図形及び「点検」という文字列と、それらの図形及び文字列の背後に配されているＬＥＤなどの光源とを備えている。冷蔵庫１の異常とは、設定温度と庫内温度との差が一定値以上である場合や、庫内サーミスタ３０の断線・短絡などによって異常な温度が検出された場合などである。冷蔵庫１の異常はこれらに限られるものではない。制御部１８は冷蔵庫１の異常を検出する異常検出処理を実行し、異常を検出すると点検表示部４２を点灯（報知の一例）させる。そして、制御部１８は冷蔵庫１の点検が行われて異常が検出されなくなると点検表示部４２を消灯させる。
【００３７】
フィルター表示部４３は凝縮器２３の前側に設けられているフィルターの目詰まりが検出されたことを示す透明あるいは半透明の図形及び「フィルター」という文字列と、それらの図形及び文字列の背後に配されているＬＥＤなどの光源とを備えている。制御部１８は目詰まりサーミスタ３１によって検知された温度が所定温度以上の状態を所定時間以上継続するとフィルターが目詰まりしていると見做す（目詰まり検出処理の一例）。制御部１８はフィルターが目詰まりしていると見做した場合はフィルター表示部４３を点灯（報知の一例）させる。そして、制御部１８は目詰まりが解消されたと見做すとフィルター表示部４３を消灯させる。
【００３８】
霜取中表示部４４は除霜運転中であることを示す透明あるいは半透明の図形及び「霜取中」という文字列と、それらの図形及び文字列の背後に配されているＬＥＤなどの光源とを備えている。制御部１８は前述した所定の除霜開始条件が成立すると霜取中表示部４４を点灯（報知の一例）させ、除霜運転が終了すると霜取中表示部４４を消灯させる。
【００３９】
エコ表示部４５は冷蔵庫１が省電力状態であることを示す透明あるいは半透明の図形及び「ＥＣＯ」という文字列と、それらの図形及び文字列の背後に配されているＬＥＤなどの光源とを備えている。以下、エコ表示部４５について具体的に説明する。
【００４０】
庫内温度が低下すると蒸発器２５内の冷媒の蒸発量が減少するため冷凍回路２１内の圧力が低下し、冷媒を圧縮する圧縮機２２にかかる負荷が小さくなる。圧縮機２２にかかる負荷が小さくなると、一定速圧縮機であるかインバータ圧縮機であるかに関わらず、圧縮機２２に流れる電流値が小さくなる。このため庫内温度が低下すると省電力となる。また、一般にインバータ圧縮機は庫内温度の低下に従って回転数を下げる制御が行われるので、一定速圧縮機よりも更に省電力となる。
【００４１】
このため、制御部１８は庫内温度が設定温度まで低下するとエコ表示部４５を点灯させる。これにより、冷蔵庫１が省電力状態であることが報知される。ここで、本実施形態において省電力状態とは、何らかの基準と比較して省電力状態であることを意味するものではない。使用者に省電力を意識付ける上では、冷蔵庫１が何らかの基準と比較して実際に省電力状態であるかどうかは必ずしも必須ではないからである。
詳しくは後述するが、制御部１８は、エコ表示部４５を点灯させた後、庫内温度が上限温度より第３の所定温度以上高い状態が所定時間継続するとエコ表示部４５を消灯させる。
【００４２】
（７）各表示部の点灯／消灯
図６を参照して、各表示部の点灯／消灯についてより具体的に説明する。図６において時点Ｔ１は冷蔵庫１の電源が投入された時点である。図６に示す例では時点Ｔ２において庫内温度が設定温度まで低下している。このため、制御部１８は時点Ｔ２でエコ表示部４５を点灯させる（報知処理の一例）。
【００４３】
時点Ｔ３は冷蔵庫１の異常が検出された時点であり、時点Ｔ４は異常が検出されなくなった時点である。前述したように制御部１８は冷蔵庫１の異常を検出すると点検表示部４２を点灯させる。制御部１８は点検表示部４２を点灯させている間はエコ表示部４５を消灯させる。このため、エコ表示部４５と点検表示部４２とを両方同時に点灯させる場合に比べ、異常が検出されたことが視覚的に強調される。そして、制御部１８は異常が検出されなくなると点検表示部４２を消灯させてエコ表示部４５の点灯を再開する。
【００４４】
時点Ｔ５はフィルターが目詰まりしていると見做された時点であり、時点Ｔ６はフィルターの目詰まりが解消されたと見做された時点である。前述したように制御部１８はフィルターが目詰まりしていると見做した場合はフィルター表示部４３を点灯させる。制御部１８はフィルター表示部４３を点灯させている間はエコ表示部４５を消灯させる。このため、エコ表示部４５とフィルター表示部４３とを両方同時に点灯させる場合に比べ、フィルターが目詰まりしていることが視覚的に強調される。そして、制御部１８は目詰まりが解消されるとフィルター表示部４３を消灯させてエコ表示部４５の点灯を再開する。
【００４５】
図６に示す例では時点Ｔ７で断熱扉１２が開かれている。断熱扉１２が開かれると庫内温度が上昇する。時点Ｔ８は断熱扉１２が開かれたことによって庫内温度が上限温度より１．０Ｋ高い温度（言い換えると設定温度より２．７Ｋ高い温度）まで上昇した時点である。時点Ｔ９は時点Ｔ８から１分が経過した時点である。図６に示す例では、断熱扉１２が長い時間開いたままにされたことにより、庫内温度が上限温度より１．０Ｋ以上高い状態が時点Ｔ９まで継続している。制御部１８は庫内温度が上限温度より１．０Ｋ以上高い状態が１分間継続した場合にエコ表示部４５を消灯させる。１．０Ｋは第３の所定温度の一例であり、１分は所定時間の一例である。以下、庫内温度が上限温度より１．０Ｋ以上高い状態が１分間継続した場合にエコ表示部４５を消灯させる理由について説明する。
【００４６】
前述したように制御部１８は庫内温度が設定温度まで低下するとエコ表示部４５を点灯させる。その場合、エコ表示部４５を消灯させるタイミングとしては、庫内温度が設定温度より高くなったタイミングが考えられる。しかしながら、冷却運転では庫内温度が頻繁に上下するので、庫内温度が設定温度より高くなったタイミングで消灯させると点灯と消灯とが頻繁に繰り返されてしまい、使用者が冷蔵庫１の故障と誤解する虞がある。
【００４７】
また、断熱扉１２が開閉されることによって庫内温度が設定温度より高くなる場合もある。その場合、庫内温度が設定温度より高くなったときにエコ表示部４５を消灯させると、断熱扉１２が開かれていた時間が短いことによって庫内温度が設定温度より少し高くなった程度であっても消灯するので、点灯と消灯とが頻繁に繰り返されてしまう。
【００４８】
これに対し、断熱扉１２が長い時間開いたままにされた場合にエコ表示部４５を消灯させるようにすると、エコ表示部４５の点灯と消灯とが頻繁に繰り返されてしまうことを抑制できる。
【００４９】
また、別の理由としては、省電力のために断熱扉１２を長い時間開いたままにしないよう使用者に意識付けることがある。使用者が断熱扉１２を長い時間開いたままにすると庫内温度が上限温度より１．０Ｋ以上高い状態が１分間以上継続するのでエコ表示部４５が消灯する。このため、使用者は自身が断熱扉１２を長い時間開いたままにしたために冷蔵庫１が省電力状態ではなくなったと理解する。このため、使用者はエコ表示部４５が消灯する前に断熱扉１２を閉めようと意識することになり、省電力の意識付けになる。
【００５０】
図６に示す例では時点Ｔ１０において庫内温度が設定温度まで低下している。このため、制御部１８は時点Ｔ１０でエコ表示部４５を点灯させる。
【００５１】
時点Ｔ１１は除霜開始条件が成立した時点であり、時点Ｔ１２は除霜運転が終了した時点である。制御部１８は前述した所定の除霜開始条件が成立するとエコ表示部４５を消灯させ、霜取中表示部４４を点灯させる。除霜運転を行うと庫内温度が上昇するので、制御部１８は時点Ｔ１２で除霜運転が終了しても直ぐにはエコ表示部４５を点灯させず、その後に庫内温度が設定温度以下になったときにエコ表示部４５を点灯させる。
【００５２】
（８）実施形態の効果
冷蔵庫１によると、庫内温度が設定温度まで低下するとエコ表示部４５を点灯させるので、圧縮機２２が一定速圧縮機であるかインバータ圧縮機であるか否かに関わらずエコ表示部４５を点灯させることができる。このため、一定速圧縮機であるかインバータ圧縮機であるか否かに関わらず、使用者に省電力を意識付けることができる。
また、冷蔵庫１によると、部品点数を削減できるという利点もある。具体的には、前述した特許文献１に記載の技術ではエコマークを点灯させるために貯蔵室外の温度を検出するセンサを備える必要がある。これに対し、冷蔵庫１は貯蔵室外の温度を検出するセンサを備えなくてもエコ表示部４５を点灯させることができるので、冷蔵庫１の部品点数を削減できる。
【００５３】
更に、冷蔵庫１によると、冷却温度範囲の上限温度は設定温度に１．７Ｋを加算した温度であり、下限温度は設定温度から２．７Ｋを減算した温度であり、所定の温度は設定温度である。一般に一定速圧縮機やインバータ圧縮機は庫内温度が設定温度まで低下すると省電力状態といえる程度まで電流値が小さくなる。冷蔵庫１によると、庫内温度が設定温度以下になったときにエコ表示部４５を点灯させるので、エコ表示部４５を点灯させるタイミングを、冷蔵庫１が省電力状態になったタイミングとより精度良く一致させることができる。
【００５４】
更に、冷蔵庫１によると、庫内温度が上限温度より１．０Ｋ以上高い状態が１分間継続した場合（言い換えると、断熱扉１２が長い時間開いたままにされたことによって庫内温度が大きく上昇した場合）にエコ表示部４５を消灯させるので、エコ表示部４５の点灯と消灯とが頻繁に繰り返されてしまうことを抑制できる。これにより、使用者に冷蔵庫１の故障と誤解させないようにできる。また、庫内温度が上限温度より１．０Ｋ以上高い状態が１分間継続した場合にエコ表示部４５を消灯させることにより、使用者に省電力を意識付けることができる。
【００５５】
更に、冷蔵庫１によると、点検表示部４２を点灯させている間はエコ表示部４５を消灯させることによって異常が検出されたことが視覚的に強調されるので、使用者は冷蔵庫１の異常が検出されたことに気付き易くなる。これにより、異常を解消するよう使用者により確実に促すことができる。
【００５６】
更に、冷蔵庫１によると、フィルター表示部４３を点灯させている間はエコ表示部４５を消灯させることによってフィルターが目詰まりしていることが視覚的に強調されるので、使用者はフィルターが目詰まりしていることに気付き易くなる。これにより、目詰まりを解消するよう使用者により確実に促すことができる。
【００５７】
更に、冷蔵庫１によると、除霜運転中はエコ表示部４５を消灯させる。除霜運転を行うと庫内温度が上昇するので、その後に冷却運転を再開したとき、庫内温度が低下するのに時間を要する。このため、除霜運転が行われると省電力状態ではなくなる。冷蔵庫１によると、除霜開始条件が成立するとエコ表示部４５を消灯させるので、省電力状態ではなくなるタイミングでエコ表示部４５を消灯できる。
【００５８】
＜他の実施形態＞
本明細書によって開示される技術は上記記述及び図面によって説明した実施形態に限定されるものではなく、例えば次のような実施形態も本明細書によって開示される技術的範囲に含まれる。
【００５９】
（１）上記実施形態では庫内温度が上限温度より１．０Ｋ以上高い状態が１分間継続した場合にエコ表示部４５を消灯させる場合を例に説明した。これに対し、庫内温度が設定温度より高くなるとエコ表示部４５を消灯させてもよい。
【００６０】
（２）上記実施形態では冷却貯蔵庫として冷蔵庫１を例に説明したが、冷却貯蔵庫は冷凍庫であってもよい。また、冷却貯蔵庫は複数の貯蔵庫を備えるものであってもよい。例えば、冷却貯蔵庫は冷凍庫と冷蔵庫とを備えるものであってもよい。複数の貯蔵庫を備える場合は、少なくとも一つの貯蔵庫で庫内温度が設定温度以下になった場合にエコ表示部４５を点灯させてもよい。そのようにすると使用者への省電力の意識付けを積極的に行うことができる。
【００６１】
（３）上記実施形態では所定の温度として設定温度を例に説明したが、所定の温度は上限温度と下限温度との間の温度であれば適宜に決定できる。言い換えると、上限温度と下限温度との間において何度以下を省電力状態と定義するかは適宜に決定できる。
【００６２】
（４）上記実施形態では報知の一例として点検表示部４２、フィルター表示部４３、霜取中表示部４４及びエコ表示部４５を点灯させる場合を例に説明したが、報知の方法はこれに限られない。例えば、操作部１９に液晶ディスプレイを設け、「点検」、「フィルター」、「霜取中」、「ＥＣＯ」といった文字列を液晶ディスプレイに表示させることによって報知してもよい。
【符号の説明】
【００６３】
１…冷蔵庫（冷却貯蔵庫の一例）、１１…貯蔵庫本体、１２…断熱扉（開閉扉の一例）、１８…制御部、１９…操作部（報知部、受付部の一例）、２１…冷凍回路、２２…圧縮機、２３…凝縮器、２４…凝縮器ファン、２５…蒸発器、３０…庫内サーミスタ（温度センサの一例）、３１…目詰まりサーミスタ（検出部の一例）、４２…点検表示部（報知部の一例）、４３…フィルター表示部（報知部の一例）、４４…霜取中表示部（報知部の一例）、４５…エコ表示部（報知部の一例）
【図１】
2019203634.tif 000003
【図２】
2019203634.tif 000004
【図３】
2019203634.tif 000005
【図４】
2019203634.tif 000006
【図５】
2019203634.tif 000007
【図６】
2019203634.tif 000008